(57)【要約】【課題】映像信号の輝度分布が全体に暗い場合にも画像表示装置のダイナミックレンジに応じた階調性の高い画面を表示する画像表示装置を提供する。【解決手段】映像信号に応じた表示駆動信号を生成する表示駆動部と、映像信号に応じた発光駆動信号を生成する発光駆動部と、表示駆動信号に応じて映像を表示する表示部と、発光駆動信号に応じて発光して表示部を背後から照射する照射部と、映像信号の輝度分布をヒストグラム化する検出部と、表示部の表示可能な帯域幅とヒストグラムに計上された輝度分布の最低輝度からの帯域幅とを比較し、ヒストグラムに計上された輝度分布の帯域幅が表示部の表示可能な帯域幅の所定比率以下である場合、映像信号に応じて照射部の照射の程度を低下させるべく発光駆動信号を制御し、映像信号に応じて表示部の映像表示の輝度を向上させるべく表示駆動信号を制御する制御部とを有する表示装置。【選択図】図１
2006276677.tif 000002
【特許請求の範囲】
【請求項１】
供給される映像信号に応じた表示駆動信号を生成する表示駆動部と、
前記供給される映像信号に応じた発光駆動信号を生成する発光駆動部と、
前記表示駆動部からの前記表示駆動信号に応じて画像を表示する表示部と、
前記発光駆動部からの前記発光駆動信号に応じて発光し、前記表示部を背後から照射する照射部と、
前記供給される映像信号の輝度分布をヒストグラム化する検出部と、
前記表示部の表示可能な帯域幅と前記ヒストグラムに計上された輝度分布の最低輝度からの帯域幅とを比較し、前記ヒストグラムに計上された輝度分布の最低輝度からの帯域幅が、前記表示部の表示可能な帯域幅の所定比率以下である場合、前記映像信号に応じて前記照射部の照射の程度を低下させるべく前記発光駆動信号を制御し、前記映像信号に応じて前記表示部の画像表示の輝度を向上させるべく前記表示駆動信号を制御する制御部と、
を具備することを特徴とする表示装置。
【請求項２】
前記制御部は、前記表示部の表示可能な帯域幅と前記ヒストグラムに計上された輝度分布の最低輝度からの帯域幅とを比較し、前記ヒストグラムに計上された輝度分布の最低輝度からの帯域幅が、前記表示部の表示可能な帯域幅の１／２以下である場合、前記映像信号に応じて前記照射部の輝度を１／２に低下させるべく前記発光駆動信号を制御し、前記映像信号に応じて前記表示部の映像表示の輝度を２倍に向上させるべく前記表示駆動信号を制御することを特徴とする請求項１記載の表示装置。
【請求項３】
前記制御部は、前記表示部の表示可能な帯域幅と前記ヒストグラムに計上された輝度分布の最低輝度からの帯域幅とを比較し、前記ヒストグラムに計上された輝度分布の最低輝度からの帯域幅が、前記表示部の表示可能な帯域幅の所定比率以下である場合、前記映像信号に応じて前記照射部の照射の程度を１／２に低下させるべく前記発光駆動信号を制御し、前記映像信号に応じて前記表示部の画像表示の輝度を２倍に向上させるべく前記表示駆動信号を制御することを特徴とする請求項１記載の表示装置。
【請求項４】
前記制御部は、室内光量に応じた信号を受け、これも更に考慮して前記発光駆動信号及び前記表示駆動信号を制御することを特徴とする請求項１記載の表示装置。
【請求項５】
前記制御部は、前記表示部の表示可能な帯域幅と前記ヒストグラムに計上された輝度分布の最低輝度からの帯域幅とを比較し、前記ヒストグラムに計上された輝度分布の最低輝度からの帯域幅が、前記表示部の表示可能な帯域幅の所定比率以下である場合、カウントアップするカウンタを有し、カウント数が所定数に達すると、前記映像信号に応じて前記照射部の照射の程度を低下させるべく前記発光駆動信号を制御し、前記映像信号に応じて前記表示部の画像表示の輝度を向上させるべく前記表示駆動信号を制御することを特徴とする請求項１記載の表示装置。
【請求項６】
前記制御部は、前記表示部の表示可能な帯域幅と前記ヒストグラムに計上された輝度分布の最低輝度からの帯域幅とを比較し、前記ヒストグラムに計上された輝度分布の最低輝度からの帯域幅が、前記表示部の表示可能な帯域幅の１／４以下である場合、前記映像信号に応じて前記照射部の輝度を１／４に低下させるべく前記発光駆動信号を制御し、前記映像信号に応じて前記表示部の画像表示の輝度を４倍に向上させ、前記ヒストグラムに計上された輝度分布の最低輝度からの帯域幅が、前記表示部の表示可能な帯域幅の１／２以下である場合、前記映像信号に応じて前記照射部の輝度を１／２に低下させるべく前記発光駆動信号を制御し、前記映像信号に応じて前記表示部の画像表示の輝度を２倍に向上させるべく前記表示駆動信号を制御することを特徴とする請求項１記載の表示装置。
【請求項７】
前記制御部が前記ヒストグラムに計上された輝度分布の最低輝度からの帯域幅が、前記表示部の表示可能な帯域幅の所定比率以下でないと判断した場合、前記供給される映像信号に誤差拡散処理を施した後、前記表示駆動部に供給する誤差拡散処理部を更に有することを特徴とする請求項１記載の表示装置。
【請求項８】
前記制御部が前記ヒストグラムに計上された輝度分布の最低輝度からの帯域幅が、前記表示部の表示可能な帯域幅の所定比率以下でないと判断した場合、前記供給される映像信号にディザ法処理を施した後、前記表示駆動部に供給するディザ法処理部を更に有することを特徴とする請求項１記載の表示装置。
【請求項９】
供給される映像信号に応じた表示駆動信号を生成する表示駆動部と、
前記供給される映像信号に応じた走査電圧を生成する走査駆動部と、
前記表示駆動部からの前記表示駆動信号と、前記走査駆動部からの前記走査電圧とに応じて、画素毎に光を照射することで画像を表示する表示部と、
前記供給される映像信号の輝度分布をヒストグラム化する検出部と、
前記表示部の表示可能な帯域幅と前記ヒストグラムに計上された輝度分布の最低輝度からの帯域幅とを比較し、前記ヒストグラムに計上された輝度分布の最低輝度からの帯域幅が、前記表示部の表示可能な帯域幅の所定比率以下である場合、前記走査駆動部の前記走査電圧を降下させるべく制御し、前記表示駆動部の前記表示駆動信号を向上させるべく制御する制御部とを具備することを特徴とする表示装置。
【請求項１０】
映像信号に応じた表示駆動信号により画像を表示する表示部と、この表示部を背後から照射する照射部とを有する表示装置の駆動方法であって、
前記供給される映像信号の輝度分布をヒストグラム化し、
前記表示部の表示可能な帯域幅と前記ヒストグラムに計上された輝度分布の最低輝度からの帯域幅とを比較し、前記ヒストグラムに計上された輝度分布の最低輝度からの帯域幅が、前記表示部の表示可能な帯域幅の所定比率以下である場合、前記映像信号に応じて前記照射部の照射の程度を低下させるべく前記発光駆動信号を制御し、前記映像信号に応じて前記表示部の画像表示の輝度を向上させるべく前記表示駆動信号を制御することを特徴とする表示装置の駆動方法。
【発明の詳細な説明】
【技術分野】
【０００１】
この発明は表示装置に関し、特に、与えられる映像信号が所定値より低い場合、バックライトの輝度を低下させこれに反して映像信号を向上させることで、表示装置のダイナミックレンジを生かして階調性を表現できる表示装置及び表示装置の駆動方法に関する。
【背景技術】
【０００２】
最近、従来の陰極線管（ＣＲＴ）に代わって、液晶表示装置がテレビジョン装置や、コンピュータのディスプレイとして使用されることが一般的になってきている。このような液晶表示装置においては、液晶自体は発光するものではなく、バックライトにおいて背後から照射されているものである。
【０００３】
このような特許文献１では、与えられた映像信号に応じて液晶画面に画像を表示すると共にバックライトで背後から照射するが、このとき、与えられた映像信号の平均輝度に応じて領域毎にバックライトの輝度を調整することで、映像信号の平均輝度に応じた表示を領域毎に実現することが示されている。
【特許文献１】特開２０００−３２１５７１公報
【発明の開示】
【発明が解決しようとする課題】
【０００４】
しかし、特許文献１の従来技術においては、映像信号の平均輝度にバックライトの輝度が対応することはわかるが、このとき、映像信号の方をどのように調整すべきかを明確に示してはおらず、従って、特に、画像の低域（暗い画面）の階調性能力をどのように向上させるのかがわからないという問題がある。
【０００５】
この発明は、映像信号の輝度分布が全体に暗い場合についても、画像表示装置のダイナミックレンジに応じた階調性の高い画面を表示する画像表示装置及び画像表示装置の駆動方法を提供することを目的とする。
【課題を解決するための手段】
【０００６】
この発明に係る多種情報記録装置は、供給される映像信号に応じた表示駆動信号を生成する表示駆動部と、前記供給される映像信号に応じた発光駆動信号を生成する発光駆動部と、前記表示駆動部からの前記表示駆動信号に応じて映像を表示する表示部と、前記発光駆動部からの前記発光駆動信号に応じて発光し、前記表示部を背後から照射する照射部と、前記供給される映像信号の輝度分布をヒストグラム化する検出部と前記表示部の表示可能な帯域幅と前記ヒストグラムに計上された輝度分布の最低輝度からの帯域幅とを比較し、前記ヒストグラムに計上された最低輝度からの輝度分布の帯域幅が、前記表示部の表示可能な帯域幅の所定比率以下である場合、前記映像信号に応じて前記照射部の照射の程度を低下させるべく前記発光駆動信号を制御し、前記映像信号に応じて前記表示部の映像表示の輝度を向上させるべく前記表示駆動信号を制御する制御部とを具備することを特徴とする表示装置である。
【発明の効果】
【０００７】
上記した表示装置においては、与えられる映像信号に応じて画像濃度のヒストグラムを生成し、このヒストグラムの最低輝度からの輝度分布が、表示画面の表示可能なダイナミックレンジの１／２以下の領域にしか存在していない場合、そのままでは、階調性は十分発揮できず、全体に単に暗い画面として表示されてしまう。ここで、照射部であるバックライトの輝度を例えば１／２に低下させると、信号の大きさと輝度との関係がリニアに近い状態であれば、映像信号に応じた表示駆動信号である、映像信号電圧を２倍にすることが可能となり、映像信号電圧は表示画面のダイナミックレンジを十分生かして２倍の階調性をもつに至るものであり、高階調の画像表示を可能とするものである。
【発明を実施するための最良の形態】
【０００８】
以下、この発明の実施の形態について図面を参照して詳細に説明する。
【０００９】
図１は、本発明の一実施形態に係る表示装置（液晶表示装置）の構成の一例を示すブロック図、図２は、同じく表示装置に供給される映像信号の輝度分布の一例を示すヒストグラムを示すグラフ、図３は、同じく表示装置のダイナミックレンジの一例を示すヒストグラムを示すグラフ、図４は、同じく表示装置（ＦＥＤ装置）の構成の一例を示すブロック図、図５乃至図１０は、同じく表示装置の処理動作の一例を示すフローチャート、図１１は、同じく表示装置の階調性が向上することを説明する説明図である。
【００１０】
＜本発明の一実施形態である液晶表示装置＞
（構成）
本発明の一実施形態である液晶表示装置１は、図１に示すように、映像信号に応じたヒストグラムを生成する映像信号レベル検出回路１１と、擬似多階調化処理・バックライト光量制御・映像信号電圧レベル制御を行なう制御回路１２と、この出力をうけバックライトユニット１７に発光駆動信号を供給するバックライトドライバ１３と、ＬＣＤパネル１６に走査線信号を供給する走査線駆動部１４と、ＬＣＤパネル１６に表示駆動信号を供給する映像信号線駆動部１５と、ＬＣＤパネル１６と、ＬＣＤパネル１６を背面から照射するバックライトユニット１７とを有している。
【００１１】
（基本動作）
本発明の一実施形態である液晶表示装置１は、映像信号のヒストグラムの分布が、表示画面のダイナミックレンジの所定値以下であれば、バックライトの輝度を低下させると共に、映像信号に応じた表示の輝度を向上させ、これにより表示の階調性を向上させるものである。
【００１２】
本発明の一実施形態である液晶表示装置１の駆動信号のバックライト制御は、図５のフローチャートに示すように、以下のように行なわれる。すなわち、初めに、映像信号レベル検出回路１１において、一画面の映像信号レベルのヒストグラムを求める（ステップＳ１１）。ここで、１走査ラインに相当する映像信号として図２に示すような輝度分布を有する信号が入力された場合を例として表示制御の方法を説明する。ここで映像信号の持つビット数を１２ｂｉｔ、液晶の信号電圧ドライバが出力できる電圧値のビット数を８ｂｉｔとし、通常時（図３に示すように輝度分布がダイナミックレンジのほぼ全域に渡っている場合）には、１２ｂｉｔの映像信号のうち下位４ｂｉｔのデータを切り捨てて８ｂｉｔの信号電圧値に変換しているとする。
【００１３】
図２に示す１走査ラインの映像信号データの分布において、ヒストグラムに計上された輝度分布の最低輝度レベルから最大輝度レベルの帯域幅Ｔが例えば映像信号のダイナミックレンジ内の最大値の１／２以下であった場合を考える。なお、ここでの最低輝度レベルとは、ヒストグラム中のダイナミックレンジの最も低い輝度レベルであり、この輝度レベルから最大輝度レベルの帯域幅を問題にしている。従って、画面全体が一様に明るいような、最大輝度レベルが非常に高い場合は、表示可能な最低輝度レベルから最大輝度レベルの帯域幅は非常に広いものとなるため、ダイナミックレンジの１／２以下を超えるものとなるので該当しない。なお、この明細書では、以降、図２に示すこの『表示可能な最低輝度レベルから最大輝度レベルの帯域幅Ｔ』を、以下に、単に『ヒストグラムの分布Ｔ』と表現する。
【００１４】
ヒストグラムの分布Ｔがダイナミックレンジ内の最大値の１／２以下であったと判断される場合は、バックライト用の照明光源の光量を通常表示時（上記と同様）の１／２とし、同時に通常時には映像信号の下位４ｂｉｔのデータを切り捨てているのに対して下位３ｂｉｔのデータのみを切り捨てて映像信号線駆動部１５へと入力する。このようにすることによって、映像信号の存在している狭い輝度領域において表現できる階調数が実質的に２倍となり、バックライトの制御を行わずに表示した場合には表現できなかった細かな階調が再現できるようになる。
【００１５】
図１１は、このときの信号の対応を示しており、信号変換Ｃ１では、映像信号Ｍ１が電圧値Ｖ１に変換されており、この例では、映像信号Ｍ１の４つの信号レベルが１つの電圧値Ｖ１に対応付けられている。一方、ヒストグラムの分布Ｔが例えば映像信号のダイナミックレンジ内の最大値の１／２であった場合は、信号変換Ｃ２に応じて、映像信号Ｍ２の２つの信号レベルが１つの電圧値Ｖ１に対応付けられている。このような信号変換によって、階調性は２倍の値をもつに至った。
【００１６】
同様のことが、ヒストグラムの分布Ｔが映像信号のダイナミックレンジ内の最大値の１／４以下であった場合と、１／８以下であった場合とに対応付けられるものであり、それぞれ、４倍及び８倍の階調性の向上が望まれる。
【００１７】
すなわち、図５のフローチャートに示すように、ヒストグラムの分布Ｔが、ダイナミックレンジの１／２（又は１／４又は１／８）以下であるかが問われる(ステップＳ１２)。ヒストグラムがそのような値をもっている場合、バックライト光量制御回路１２において、バックライトの輝度が１／２（又は１／４又は１／８）となるような制御データを生成し、バックライトドライバ１３に供給する(ステップＳ１３)。又、映像信号電圧レベル制御回路１２において、映像の輝度が２倍（又は４倍又は８倍）となるよう、制御データを生成して映像信号線駆動部１５に供給する(ステップＳ１４)。そして、次画面の映像信号があれば、ステップＳ１１から処理を反復するものである(ステップＳ１５)。このようにして、図１１の説明図で示されたような２倍（又は４倍又は８倍）の階調性の向上を望むことができる。
【００１８】
なお、上記実施形態では、処理を一画面毎に説明しているが、必ずしもこの形態を取る必要はなく、例えば、画面を２領域又は４領域に分割し、分割画面毎に同様の処理を行なうことが好適である。又、４領域又はそれ以上に分割して処理することが好適である。
【００１９】
（補正テーブルを用いたバックライト制御）
次に、補正テーブルを用いて、バックライト制御が行なわれる。すなわち、バックライトユニットの輝度とＬＣＤパネル１６の輝度との関係は、先に述べたように必ずしもリニアリティとなってはおらず、計測されて特定されるような一定の関係を持つものである。従って、ヒストグラムの分布Ｔが映像信号のダイナミックレンジ内の最大値の１／２以下の時に、バックライトの輝度と映像信号電圧レベルとをどの程度とすればよいかの最適値を保存した複数の補正テーブルを用意しておき、これを利用してバックライト制御を行なうものである。
【００２０】
すなわち、図６のフローチャートに示すように、ヒストグラムの分布Ｔが、ダイナミックレンジの所定値以下、例えば、１／２（又は１／４又は１／８）以下であるかが問われる(ステップＳ２２)。次に、ヒストグラムの分布Ｔの、ダイナミックレンジに対する比率を求め(ステップＳ２３)、ヒストグラムの分布Ｔの比率に応じて、予め用意された複数の補正テーブルから対応する一つを選択しこれに応じて、バックライトの輝度を調整するための制御データを生成し、バックライトドライバに供給する(ステップＳ２４)。更に、ヒストグラムの分布Ｔの比率に応じて、予め用意された複数の補正テーブルから対応する一つを選択しこれに応じて、映像信号電圧ドライバに供給する映像信号の値を変更して供給する(ステップＳ２５)。そして、次画面の映像信号があれば、ステップＳ１１から処理を反復するものである(ステップＳ１５)。
【００２１】
このように予め用意した補正テーブルを用いることで、リニアリティが保証されていなくとも、意図したバックライト制御を行なうことができるので、画像表示の階調性を実現することができる。
【００２２】
（室内光量を考慮したバックライト制御）
又、図示しない光量センサをＬＣＤパネル１６の周囲に設けておき、図７のフローチャートに示すように、室内の光量を検出し、この光量をも考慮してバックライト等の値を決定することが好適である。これにより、日中や夜間等の室内光量を考慮して、最適なバックライト輝度を維持しながら、本発明の一実施形態に係る画像表示の階調性を実現することができる。
【００２３】
なお、図７のフローチャートのステップＳ３１乃至ステップＳ３５の記載は、ステップＳ３３の室内光量を検出する工程と、ステップＳ３４のこれを反映したバックライト輝度を決定する工程とが特徴的であるが、他は、図５のフローチャートの各工程と同等のものであり詳細な記載を省略する。
【００２４】
（カウンタを設けたバックライト制御）
次に、図８に示すように、ヒストグラムの分布Ｔがダイナミックレンジの所定値以下となった回数をカウンタによりカウントし、カウントアップしたら、実際にバックライト制御を行なうことが好適である。こうすることで、本発明の変換モードから通常モードの間を頻繁に変更されることで、ユーザにとって見苦しい画面となることを防止するものである。
【００２５】
すなわち、図８のフローチャートに示すように、ヒストグラムの分布Ｔが、ダイナミックレンジの１／２以下であるかが問われる(ステップＳ４２)。ヒストグラムがそのような値をもっている場合、カウンタをカウントアップし(ステップＳ４３)、カウンタが所定値（例えば１０回）以上をカウントすれば(ステップＳ４４)、バックライト光量制御回路１２において、バックライトの輝度が１／２となるような制御データを生成し、バックライトドライバ１３に供給する(ステップＳ４３)。又、映像信号電圧レベル制御回路１２において、映像の輝度が２倍となるよう、制御データを生成して映像信号線駆動部１５に供給する(ステップＳ４４)。そして、次画面の映像信号があれば、ステップＳ１１から処理を反復するものである(ステップＳ１５)。
【００２６】
ここで、ステップＳ４２で、ヒストグラムの分布Ｔが該当しない場合は、今までのカウンタの値をリセットする(ステップＳ４７)。これは、ヒストグラム分布Ｔが１／２以下等の条件に該当しなくなった場合は、直ちに通常モードに戻ることを意味している。
【００２７】
（複数段階のバックライト制御）
更に、ヒストグラムの分布Ｔとダイナミックレンジとの比率において、１／２だけでなく、他の比率を、図９のフローチャートに示すように、同時に一つの処理プログラムの中で行なうことが好適である。
【００２８】
すなわち、図９のフローチャートに示すように、ヒストグラムを求めた後(ステップＳ１１)、初めに、ヒストグラムの分布Ｔがダイナミックレンジの１／４以下であるかが問われる(ステップＳ５２)。ヒストグラムがそのような値をもっている場合、バックライト光量制御回路１２において、バックライトの輝度が１／４となるような制御データを生成し、バックライトドライバ１３に供給する(ステップＳ５３)。又、映像信号電圧レベル制御回路１２において、映像の輝度が４倍となるよう、制御データを生成して映像信号線駆動部１５に供給する(ステップＳ５４)。そして、次画面の映像信号があれば、ステップＳ１１から処理を反復するものである(ステップＳ１５)。
【００２９】
しかし、ステップＳ５２でこれに該当しなくとも、ヒストグラムの分布Ｔが、ダイナミックレンジの１／２以下であるかがその後問われ (ステップＳ１２)。ヒストグラムがそのような値をもっている場合、バックライト光量制御回路１２において、バックライトの輝度が１／２となるような制御データを生成し、バックライトドライバ１３に供給する(ステップＳ１３)。又、映像信号電圧レベル制御回路１２において、映像の輝度が２倍となるよう、制御データを生成して映像信号線駆動部１５に供給する(ステップＳ１４)。そして、次画面の映像信号があれば、ステップＳ１１から処理を反復するものである(ステップＳ１５)。
【００３０】
このように、複数の条件に応じた複数の処理をプログラムで設けておくことで、１／２、１／４、１／８等の処理を連続的に行なうことで、画面状況に応じた最適なバックライト制御を行なうことで高い階調性を実現するものである。
【００３１】
（誤差拡散法又はディザ法の併用）
更に本発明の実施形態においては、ヒストグラムの分布Ｔが所望の値に該当しない場合、誤差拡散法やディザ法を用いて、画像を処理を行なうものである。すなわち、図３に示すように１走査ライン内の映像信号の輝度分布がダイナミックレンジのほぼ全域に渡っている場合には、バックライト制御を行うことができないために映像信号の下位４ｂｉｔのデータは切り捨てられる。このままで信号電圧ドライバへと入力すると、本来の映像信号に含まれている細かな階調が失われ、細かなグラデーションなどが存在していると階調間の段差が見えてしまう等の不具合が発生する。
【００３２】
そこで、本発明ではバックライト制御を行うことができない図３のような輝度分布の映像信号に対しては、誤差拡散、ディザ法等の擬似多階調化の処理を行い、上記のような不具合を抑制する。なお、誤差拡散処理、ディザ法については、多くの文献が知られており、誤差拡散については、特開２００４−３６１８８５公報、ディザ法については、オーム社１９９９年、『Ｃ言語で学ぶ実践画像処理』を挙げるがこれらの文献に限らない。
【００３３】
このように、図１０のフローチャートのステップＳ６１において、誤差拡散法、又は、ディザ法により処理が施されることにより、映像の輝度分布の状態に応じて、バックライト制御による多階調化と誤差拡散等による擬似多階調化の処理を適応的に行うことで、よりきめ細かい映像表示が実現されるものである。
【００３４】
なお、上記したこれらの各実施形態では、処理を一画面毎に説明しているが、必ずしもこの形態を取る必要はなく、例えば、画面を２領域又は４領域に分割し、分割画面毎に同様の処理を行なうことが好適である。又、４領域又はそれ以上に分割して処理することが好適である。
【００３５】
（本発明の一実施形態であるＦＥＤ（Field Emission Display））
又、更に、上述した全ての各工程の処理は、液晶表示装置だけではなく、図４に示したＦＥＤにおいても全く同等に適用することが可能であり、同等の作用効果を生じるものである。
【００３６】
ここで、ＦＥＤを用いた表示装置１は、図４に示すように、映像信号に応じたヒストグラムを生成する映像信号レベル検出回路１１と、擬似多階調化処理・走査線ドライバ電圧レベル制御・映像信号電圧レベル制御を行なう制御回路２１と、この出力をうけＦＥＤパネル２２に走査線信号を供給する走査線駆動部１４と、ＦＥＤパネル１７に表示駆動信号を供給する映像信号線駆動部１５と、ＦＥＤパネル２２とを有している。
【００３７】
しかし、ＦＥＤ（フィールド・エミッション・ディスプレイ）等の自発光型マトリクスディスプレイの場合は、図５乃至図１０の各フローチャートのバックライトの輝度補正の工程（ステップＳ１３，ステップＳ２４，ステップＳ３４，ステップＳ４５，ステップＳ５３）の代わりに、マトリクスの走査線ドライバの駆動電圧を変化させることにより、単位時間当たりの発光輝度の制御を行うものである。信号線ドライバに相当する部分については、駆動電圧のパルス変調幅及び振幅値をこれに連動させることによって、映像信号の集中している特定輝度領域で表現できる階調数を倍増させるものである。従って、図５乃至図１０の各フローチャートに示された各実施形態の全ては、ＦＥＤを利用した表示装置に適用することが可能となるものである。
【００３８】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００３９】
【図１】本発明の一実施形態に係る表示装置（液晶表示装置）の構成の一例を示すブロック図。
【図２】同じく表示装置に供給される映像信号の輝度分布の一例を示すヒストグラムを示すグラフ。
【図３】同じく表示装置のダイナミックレンジの一例を示すヒストグラムを示すグラフ。
【図４】同じく表示装置（ＦＥＤ装置）の構成の一例を示すブロック図。
【図５】同じく表示装置の処理動作の一例を示すフローチャート。
【図６】同じく表示装置の処理動作の一例を示すフローチャート。
【図７】同じく表示装置の処理動作の一例を示すフローチャート。
【図８】同じく表示装置の処理動作の一例を示すフローチャート。
【図９】同じく表示装置の処理動作の一例を示すフローチャート。
【図１０】同じく表示装置の処理動作の一例を示すフローチャート。
【図１１】同じく表示装置の階調性が向上することを説明する説明図。
【符号の説明】
【００４０】
１１…映像信号検出回路、１２…擬似多階調化処理回路等、１３…バックライトドライバ、１４…走査電圧ドライバ、１５…映像信号電圧ドライバ。
【図１】
2006276677.tif 000003
【図２】
2006276677.tif 000004
【図３】
2006276677.tif 000005
【図４】
2006276677.tif 000006
【図５】
2006276677.tif 000007
【図６】
2006276677.tif 000008
【図７】
2006276677.tif 000009
【図８】
2006276677.tif 000010
【図９】
2006276677.tif 000011
【図１０】
2006276677.tif 000012
【図１１】
2006276677.tif 000013